(57)【要約】    【課題】  カットマークで正確にカットされた片面段ボールシートを素材とする容器の製造方法および容器を提供することにある。また、片面段ボールシートを特定の位置で折るための罫線を入れた片面段ボールシートを素材とする容器の製造方法および容器を提供することにある。    【解決手段】  罫線で区画された一枚の片面段ボールシートを折り曲げて得られる四角形の底面と、この底面から四方に立ち上がった台形状側面と、側面に連接するフラップと、側面部間を連結する側面折り重ね片からなる四隅貼りの容器であって、底面を区画する各罫線がシングルフェイサーの糊ラインと４５°の角度に入れられたことを特徴とする片面マイクロフルート段ボールシートを素材とする容器の製造方法および四隅貼り容器。【選択図】      図１
2006117276.tif 000002
【特許請求の範囲】
【請求項１】
罫線で区画された一枚の片面段ボールシートを折り曲げて得られる四角形の底面と、この底面から四方に立ち上がった台形状側面と、側面に連接するフラップと、側面部間を連結する側面折り重ね片からなる四隅貼りの容器であって、底面を区画する各罫線がシングルフェイサーの糊ラインと４５°の角度に入れられたことを特徴とする片面段ボールシートを素材とする容器の製造方法および四隅貼り容器。
【請求項２】
絵柄およびカットマークが印刷された中芯に相当する段繰りされる原紙とライナーに相当する原紙を、コルゲーターのシングルフェイサーで段高が１．０ｍｍ以下、３０ｃｍ当りの段数が９０以上に段成形されると同時に接着された片面マイクロフルート段ボールシートを素材とすることを特徴とする請求項１に記載の容器の製造方法および四隅貼り容器。
【請求項３】
中芯に相当する段繰りされた原紙が容器の外側になるように構成されたことを特徴とする請求項1と２に記載の片面マイクロフルート段ボールシートを素材とする四隅貼り容器。
【発明の詳細な説明】
【技術分野】
【０００１】
本発明は、片面段ボールシートを素材とする容器の製造方法および容器に関し、特に後加工が容易で大量生産が可能な片面マイクロフルート段ボールシートを素材とする容器の製造方法および四隅貼り容器に関する。
【背景技術】
【０００２】
段ボールシートはＪＩＳ規格（Ｚ−０１０８）によると、段の数により、Ａ段、Ｂ段、Ｃ段に分けられ、この他にも、ＪＩＳ規格外のＥ段と呼ばれるものがあり、一方、段の高さについてもＪＩＳ規格では定められていないが、概ね、Ａ段では、段高５ｍｍ、Ｂ段では３ｍｍ、Ｃ段では３．６ｍｍ、Ｅ段では１．２ｍｍ程度である。近年、Ｅ段より更に段数が多く、かつ段高が０．４〜１．０ｍｍと、段高の低い段ボールシートが開発され実用に供されるようになり、これらは、Ｆ段、Ｇ段、Ｎ段、ミニ段ボール、マイクロフルート段ボールなどと呼ばれている。本発明においては、３０ｃｍ当りの段数が９０以上、段高が１．０ｍｍ以下のものを対象とし、以下、これをマイクロフルート段ボールと称する。
【０００３】
従来、中芯に相当する段繰りされる原紙に絵柄が印刷された片面段ボールシートが製造されも広告用ツール材等使用されることがあった。しかしながら、片面段ボールシートの段高がＥ段以上で製造されたため、絵柄の一部分にカットマークを入れてもカットマークが段の側面にきた場合にはセンサーで読むことができず、カットミスが散発した。これを防ぐため定尺でカットすると、絵柄とカット位置のズレが次第に大きくなり、不良率が非常に高くなった。このため従来は、低速で肉眼で確認しながら手動でカットされることが多かった。そのため生産効率が悪く大量生産することが難しかった。
【０００４】
また、片面段ボールシートで容器をつくるために罫線を入れる場合、特許文献１のように長側部の罫線が通常の両面段ボールシートと同様にシングルフェイサーの糊ラインと平行に入っているので、折る際に必ずしも罫線で折れず、不特定の位置で折れ、容器が作り難いという問題がある。また、同文献は四隅貼りでなく、フラップを糊付けする構成となっており、切れ目の接着が確実でないと収納した食品からの水分、油分がこぼれることがある。
【特許文献１】実新第０２５９６０２５号公報
【発明の開示】
【発明が解決しようとする課題】
【０００５】
本発明の課題は、絵柄およびカットマークが印刷された中芯に相当する段繰りされる原紙とライナーに相当する原紙からなる片面段ボールシートにおいて、カットマークで正確にカットされた片面段ボールシートを素材とする容器の製造方法および容器を提供することにある。また、片面段ボールシートを特定の位置で折るための罫線を入れた片面段ボールシートを素材とする容器の製造方法および容器を提供することにある。
【課題を解決するための手段】
【０００６】
本発明は前記課題を解決するため以下の（１）〜（３）から構成される。
【０００７】
（１）  罫線で区画された一枚の片面段ボールシートを折り曲げて得られる四角形の底面と、この底面から四方に立ち上がった台形状側面と、側面に連接するフラップと、側面部間を連結する側面折り重ね片からなる四隅貼りの容器であって、底面を区画する各罫線がシングルフェイサーの糊ラインと４５°の角度に入れられたことを特徴とする片面段ボールシートを素材とする容器の製造方法および四隅貼り容器。
【０００８】
（２）  絵柄およびカットマークが印刷された中芯に相当する段繰りされる原紙とライナーに相当する原紙を、コルゲーターのシングルフェイサーで段高が１．０ｍｍ以下、３０ｃｍ当りの段数が９０以上に段成形されると同時に接着された片面マイクロフルート段ボールシートを素材とすることを特徴とする（１）項記載の容器の製造方法および四隅貼り容器。
【０００９】
（３）  中芯に相当する段繰りされた原紙が容器の外側になるように構成されたことを特徴とする（１）項と（２）項に記載の片面マイクロフルート段ボールシートを素材とする四隅貼り容器
【発明の効果】
【００１０】
本発明の片面マイクロフルート段ボールシートを素材とする四隅貼り容器は、意匠性、美粧性、断熱性、緩衝性等があり、効率の良い製造方法および容器を提供できたことは工業的に有用である。
【発明を実施するための最良の形態】
【００１１】
本発明に用いられる中芯に相当する段繰りされる原紙には、絵柄およびカットマークが印刷されるが、印刷方式としてはオフ輪、グラビア等巻取り形状に仕上げられる方式が選択される。カットマークは用いるカッターの形式により適宜選択される。シングルフェイサーで段繰り加工されるため、印刷インキは耐熱性および耐磨耗性の高いインキを用いることが好ましい。中芯に相当する原紙は特に限定するものではないが、晒しおよび未晒しクラフト紙等が好適に使用できる。
【００１２】
本発明に用いられるライナーに相当する原紙には、通常の一般的な紙のほかに、フィルムをラミネートした加工紙、薬品をコーティングした加工紙等が使用できる。加工紙を用いる場合、中芯に相当する段繰りされる原紙と貼合される面は加工された面と反対側になる。シングルフェイサーで接着されるため、フィルムや塗工薬品は耐熱性を考慮する必要がある。
【００１３】
本発明は上記の中芯に相当する段繰りされる原紙とライナーに相当する原紙を、段高が１．０ｍｍ以下で３０ｃｍ当りの段数が９０以上、好ましくは段高が０．５５ｍｍ以下で３０ｃｍ当りの段数が１２０以上に段形成されると同時に接着された片面マイクロフルート段ボールシートである。この片面マイクロフルート段ボールシートは通常のシングルフェイサーで、通常の製造条件で製造可能であるが、段ロールは本発明の請求範囲に適合するものを用意する必要がある。
【００１４】
本発明に用いられる貼合糊は特に限定するものではないが、通常のシングルフェイサー用澱粉糊または必要に応じて耐水糊等が使用可能である。
【００１５】
本発明の片面マイクロフルート段ボールはシングルフェイサーで貼合後、カッター部でカットマークに従い正確に断裁される。次工程で絵柄に合わせて打抜きを行う際もカットマークで正確に断裁されているため効率的な打抜き作業が可能となる。
【００１６】
また、打抜きと同時に罫線が入れられる。本発明の片面マイクロフルート段ボールシートに罫線を入れる場合は、四角形の底面が基準となるように抜き型の罫線刃および面版の罫線部を糊ラインと４５°をなす角度に設計・製作される。このように罫線を入れることにより、片面段ボールシートでも所定の位置で正確に折ることができる。
【００１７】
図１に、本発明の片面段ボールシートを素材とする容器の実施態様の一例として、四隅貼り容器の展開図を示すが、本発明はこれによって限定されるものではない。
【実施例】
【００１８】
以下、実施例により本発明を具体的に説明するが、本発明はこれら実施例により限定されるものではない。
【００１９】
＜実施例１＞
１００g/m2の晒しクラフト紙にグラビア印刷機で絵柄とカットマークを印刷した巻取りを作成した。３００g/m2のカップ原紙と１２μｍのポリエチレンテレフタレートのフィルムをウェットラミネーターで貼合した巻取りを作成した。晒しクラフト紙を中芯側、カップ原紙をライナー側として、段高０．５ｍｍ、３０ｃｍ当りの段数が１７５の段ロールのシングルフェイサーで、印刷面が外側になる片面マイクロフルート段ボールシートを作成し、カッター部でカットマークに従い断裁した（図５参照）。
断裁した片面マイクロフルート段ボールシートを打抜き機にて絵柄に合わせて打抜くと同時に、図１に示すように四角形の底面1を基準として片面マイクロフルート段ボールシートの糊ラインと４５°をなす角度に罫線を入れた。打抜かれたブランクシートを製函機にて四隅貼りして、図２に示すように段繰りされた晒しクラフト紙が外側になる持ち帰り用惣菜容器を作成した。
【００２０】
＜比較例１＞
実施例１と同様に片面マイクロフルート段ボールシートを作成し、カッター部で断裁した。断裁した片面マイクロフルート段ボールシートに罫線を入れるときに図３に示すように糊ラインと平行になるように罫線を入れた。打抜かれたブランクシートを用い製函機にて四隅貼り容器を作成した。
【００２１】
上記実施例は所定の罫線で正確に折ることができて四隅貼り容器が作成でき、切れ目がないので、収納した惣菜の汁等のこぼれも無かった。また、片面マイクロフルート段ボールシートを素材とした容器であるので、断熱性に優れ、熱いものを入れても素手で持つことが出来る。更に、事前に印刷した後に段繰りされた晒しクラフト紙が容器の外側になっているので、意匠性と美粧性にも富む。
比較例では罫線とは関係ないところで折れ、四隅貼り容器がうまく作成できず、箱の強度も弱かった。
【産業上の利用可能性】
【００２２】
本発明は、片面マイクロフルート段ボールを素材とする四隅貼り容器に利用できる。
【図面の簡単な説明】
【００２３】
【図１】実施例1の四隅貼り容器の展開図
【図２】実施例1の四隅貼り容器の斜視図
【図３】比較例1の四隅貼り容器の展開図
【図４】片面マイクロフルート段ボールシートの概念図図中、四角い破線が四隅貼り容器の四角形の底面の底辺を示す。
【図５】図柄とカットマークの配置図片面段ボールシートのカッター部で断裁例で、左端が２本目のカットマークに合わせた断裁端で、右側は連続シートである。
【符号の説明】
【００２４】
１：底面、２：側面、３：フラップ、４：側面折り重ね片（四隅貼り部）
５：中芯に相当する段繰りされた原紙、６：ライナーに相当する原紙
７：図柄、８ａ：カットマーク（１本目）、８ｂ：カットマーク（２本目）
【図１】
2006117276.tif 000003
【図２】
2006117276.tif 000004
【図３】
2006117276.tif 000005
【図４】
2006117276.tif 000006
【図５】
2006117276.tif 000007